(57)【要約】【課題】騒音や振動の発生を抑制することができる送風・吸引装置を提供する。【解決手段】送風・吸引装置は、送風・吸引動作を行うための空気流を発生させる空気流発生手段１０と、送風経路２１及び吸引経路２２を有するケーシング２０と、を備える。かかる送風・吸引装置において、ケーシング２０は、少なくとも空気流発生手段１０を収納するケーシング本体部２０ａと、ケーシング本体部２０ａとは別体に構成され、且つ、ケーシング本体部２０ａにおける空気流発生手段１０の設置箇所を覆うように取り付けられるハンドル部２０ｂと、を備えている。なお、ケーシング本体部２０ａとハンドル部２０ｂとは、吸振部材や吸音部材を設置されたり、それぞれが異なる材料で構成されたりすることが好適である。【選択図】図２
2006346199.tif 000002
【特許請求の範囲】
【請求項１】
送風・吸引動作を行うための空気流を発生させる空気流発生手段と、
送風経路及び吸引経路を有するケーシングと、
を備える送風・吸引装置であって、
前記ケーシングは、
少なくとも前記空気流発生手段を収納するケーシング本体部と、
前記ケーシング本体部とは別体に構成され、且つ、前記ケーシング本体部における前記空気流発生手段の設置箇所を覆うように取り付けられるハンドル部と、
を備えることを特徴とする送風・吸引装置。
【請求項２】
送風・吸引動作を行うための空気流を発生させる空気流発生手段と、
送風経路及び吸引経路を有するケーシングと、
を備える送風・吸引装置であって、
前記空気流発生手段は、
回転軸を有するモータと、
前記回転軸に接続するファンと、
を備え、
前記ケーシングは、
前記空気流発生手段を収納するケーシング本体部と、
ユーザの把持を受けるためのハンドル部と、
前記ファンの入側に接続することによってバキュームノズルを形成する吸引経路と、
前記ファンの出側に接続することによってブロワノズルを形成する送風経路と、
前記送風経路の途中から分岐し、前記空気流によって搬送される塵芥を回収するための集塵袋を設置可能な回収経路と、
前記送風経路と前記回収経路との分岐点に設置され、前記送風経路又は前記回収経路のいずれか一方に前記空気流を誘導可能な切換手段と、
を備え、
前記ケーシング本体部と前記ハンドル部とは別体に構成され、さらに、
前記ハンドル部は、前記ケーシング本体部における前記空気流発生手段の設置箇所を覆うように取り付けられることを特徴とする送風・吸引装置。
【請求項３】
請求項１又は２に記載の送風・吸引装置において、
前記ケーシング本体部における前記空気流発生手段の設置箇所には冷却用の開口部が形成されており、
前記ハンドル部は、前記開口部に対応する風窓を備えることを特徴とする送風・吸引装置。
【請求項４】
請求項１〜３のいずれか１項に記載の送風・吸引装置において、
前記ハンドル部は、前記ケーシング本体部に対して吸振部材を介して設置されていることを特徴とする送風・吸引装置。
【請求項５】
請求項１〜４のいずれか１項に記載の送風・吸引装置において、
前記ケーシング本体部と前記ハンドル部との間には、吸音部材が設置されていることを特徴とする送風・吸引装置。
【請求項６】
請求項５に記載の送風・吸引装置において、
前記吸音部材は、前記開口部と前記風窓の間に設置されていることを特徴とする送風・吸引装置。
【請求項７】
請求項１〜６のいずれか１項に記載の送風・吸引装置において、
前記ケーシング本体部と前記ハンドル部とは、異なる固有振動数を有するように構成されていることを特徴とする送風・吸引装置。
【請求項８】
請求項１〜７のいずれか１項に記載の送風・吸引装置において、
前記ケーシング本体部と前記ハンドル部とは、異なる材料によって構成されていることを特徴とする送風・吸引装置。
【発明の詳細な説明】
【技術分野】
【０００１】
本発明は、送風・吸引装置に係り、特に、切換機構を有することによって選択的に送風と吸引の切換を行うことが可能な送風・吸引装置の改良に関するものである。
【背景技術】
【０００２】
従来から、送風機能と吸引機能との両方の機能を有する送風・吸引装置が知られている。例えば、下記特許文献１には、送風経路と吸引経路とが形成されたケーシングに対して、送風機能と吸引機能を選択的に切り換えることが可能な切換機構を設置した送風・吸引装置が開示されている。
【０００３】
また、下記特許文献２には、吸引・吐出作業の容易化を目的として、送風機能と吸引機能を選択的に切り換えるための切換機構を改良した送風・吸引装置が開示されている。下記特許文献２に開示の送風・吸引装置によれば、吸引と吐出のノズルを一本化することができるので、細かな隙間であってもノズルを挿入して吸引・吐出動作を行うことができるとされている。
【０００４】
【特許文献１】特許第２９３８５７７号明細書
【特許文献２】特開２００１−１６１６０３号公報
【非特許文献１】著者不明、“取扱説明書  小型集じん機  携帯用集じん機  モデル450(p)／451(P)”、作成日時不明、株式会社マキタ、平成１７年１月７日入手
【発明の開示】
【発明が解決しようとする課題】
【０００５】
しかしながら、この種の送風・吸引装置に用いられる従来のケーシングは、その形状が非常に大きくなってしまうので、モータやファンなどの駆動に起因する振動をケーシングが増幅してしまい、大きな振動や騒音を発生させてしまうという問題があった。ちなみに、上記特許文献２に記載の送風・吸引装置は、吸引と吐出のノズルを一本化してケーシングのスリム化を図ったものではあるが、振動や騒音を防止する機能を発揮するものではない。
【０００６】
本発明は、上述した課題の存在に鑑みて成されたものであって、騒音や振動の発生を抑制することができる従来にない送風・吸引装置を提供することを目的とするものである。
【課題を解決するための手段】
【０００７】
以下、本発明について説明する。なお、本発明の理解を容易にするために添付図面の参照番号を括弧書きにて付記するが、それにより本発明が図示の形態に限定されるものではない。
【０００８】
本発明に係る送風・吸引装置は、送風・吸引動作を行うための空気流を発生させる空気流発生手段（１０）と、送風経路（２１）及び吸引経路（２２）を有するケーシング（２０）と、を備える送風・吸引装置であって、前記ケーシング（２０）は、少なくとも前記空気流発生手段（１０）を収納するケーシング本体部（２０ａ）と、前記ケーシング本体部（２０ａ）とは別体に構成され、且つ、前記ケーシング本体部（２０ａ）における前記空気流発生手段（１０）の設置箇所を覆うように取り付けられるハンドル部（２０ｂ）と、を備えることを特徴とする。
【０００９】
本発明に係る他の送風・吸引装置は、送風・吸引動作を行うための空気流を発生させる空気流発生手段（１０）と、送風経路（２１）及び吸引経路（２２）を有するケーシング（２０）と、を備える送風・吸引装置であって、前記空気流発生手段（１０）は、回転軸（１１）を有するモータ（１２）と、前記回転軸（１１）に接続するファン（１３）と、を備え、前記ケーシング（２０）は、前記空気流発生手段（１０）を収納するケーシング本体部（２０ａ）と、ユーザの把持を受けるためのハンドル部（２０ｂ）と、前記ファン（１３）の入側に接続することによってバキュームノズルを形成する吸引経路（２２）と、前記ファン（１３）の出側に接続することによってブロワノズルを形成する送風経路（２１）と、前記送風経路（２１）の途中から分岐し、前記空気流によって搬送される塵芥を回収するための集塵袋（２６）を設置可能な回収経路（２５）と、前記送風経路（２１）と前記回収経路（２５）との分岐点に設置され、前記送風経路（２１）又は前記回収経路（２５）のいずれか一方に前記空気流を誘導可能な切換手段（２７）と、を備え、前記ケーシング本体部（２０ａ）と前記ハンドル部（２０ｂ）とは別体に構成され、さらに、前記ハンドル部（２０ｂ）は、前記ケーシング本体部（２０ａ）における前記空気流発生手段（１０）の設置箇所を覆うように取り付けられることを特徴とする。
【００１０】
本発明に係る送風・吸引装置において、前記ケーシング本体部（２０ａ）における前記空気流発生手段（１０）の設置箇所には冷却用の開口部（３０）が形成されており、前記ハンドル部（２０ｂ）は、前記開口部（３０）に対応する風窓（３１）を備えることとすることができる。
【００１１】
また、本発明に係る送風・吸引装置において、前記ハンドル部（２０ｂ）は、前記ケーシング本体部（２０ａ）に対して吸振部材（４０）を介して設置されていることとすることができる。
【００１２】
さらに、本発明に係る送風・吸引装置において、前記ケーシング本体部（２０ａ）と前記ハンドル部（２０ｂ）との間には、吸音部材（５０）が設置されていることとすることができる。
【００１３】
またさらに、本発明に係る送風・吸引装置において、前記吸音部材（５０）は、前記開口部（３０）と前記風窓（３１）の間に設置されていることとすることができる。
【００１４】
さらにまた、本発明に係る送風・吸引装置において、前記ケーシング本体部（２０ａ）と前記ハンドル部（２０ｂ）とは、異なる固有振動数を有するように構成されていることとすることができる。
【００１５】
また、本発明に係る送風・吸引装置において、前記ケーシング本体部（２０ａ）と前記ハンドル部（２０ｂ）とは、異なる材料によって構成されていることとすることができる。
【００１６】
なお上記発明の概要は、本発明の必要な特徴の全てを列挙したものではなく、これらの特徴群のサブコンビネーションもまた発明となり得る。
【発明の効果】
【００１７】
本発明によれば、ケーシング本体部とハンドル部という別部材を組み合わせることによってケーシングを構成するとともに、ケーシング本体部における空気流発生手段の設置箇所を覆うようにハンドル部を設置したので、空気流発生手段から伝達される振動の拡大を防止することができる。特に、本発明では、ケーシング本体部とハンドル部との間に吸振部材や吸音部材を設置したり、ケーシング本体部とハンドル部とを異なる固有振動数を有する部材や異なる材料によって構成したりすることが可能であるので、さらなる防振効果を高めることが可能である。したがって、本発明によれば、従来の送風・吸引装置に比べて振動・騒音の発生を抑制した送風・吸引装置を提供することができる。
【発明を実施するための最良の形態】
【００１８】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１９】
図１Ａは、本実施形態に係る送風・吸引装置の全体構成を示す右側側面図である。また、図１Ｂは、本実施形態に係る送風・吸引装置の全体構成を示す左側側面図である。さらに、図２は、本実施形態に係る送風・吸引装置の要部構造を示す要部縦断面側面図である。
【００２０】
本実施形態に係る送風・吸引装置は、主要な構成として、送風・吸引動作を行うための空気流を発生させる空気流発生手段１０と、送風経路２１及び吸引経路２２を有するケーシング２０と、を備えている。
【００２１】
空気流発生手段１０は、図２において示されるように、回転軸１１を有するモータ１２と、回転軸１１に接続するファン１３と、によって構成されている。かかる空気流発生手段１０によれば、モータ１２の駆動に伴ってファン１３が回転するので、送風・吸引動作を行うための空気流を発生させることができる。なお、モータ１２は、トラス小ねじ等の取付手段によって、ケーシング２０内に確実に固定設置されている。
【００２２】
一方、ケーシング２０は、ケーシング本体部２０ａとハンドル部２０ｂ、及びノズル部２０ｃという３つの部材を接続することによって構成されている。
【００２３】
ケーシング本体部２０ａは、図２においてより詳細に示されるように、モータ１２収納部の前方にファンケース２４を備えた構造を有している。このファンケース２４の正面側には２つのノズルから成るノズル部２０ｃが接続されており、一方のバキュームノズルが形成する吸引経路２２と、他方のブロワノズルが形成する送風経路２１とが形成されている。
【００２４】
吸引経路２２には、ファン１３の回転に伴って空気が吸い込まれてくることになる。また、送風経路２１は、ファンケース２４の下面から吸引経路２２の下側に沿った位置に形成されており、さらに、この送風経路２１の途中には、回収経路２５が分岐して設けられている。回収経路２５の出口側には、空気流によって搬送される塵芥を回収するための集塵袋２６が設置可能となっている。
【００２５】
また、送風経路２１と回収経路２５との分岐点には、切換手段２７が設置されている。この切換手段２７は、吸引経路２２を通って吸い込まれてきた空気流を送風経路２１又は回収経路２５のいずれか一方に誘導することが可能な機構である。具体的には、切換手段２７は、略円筒形状に形成された分岐室に嵌め込まれた筒状体であり、その胴体部に空気流の通路が形成された部材である。そして、ユーザがこの切換手段２７を回転させることによって、送風経路２１あるいは回収経路２５のどちらか一方と胴体部の通路が開通し、空気が流れるようになっている。したがって、ユーザは、この切換手段２７を操作することによって、送風経路２１から空気流を送風してブロアを行うか、回収経路２５に空気流を送風してバキュームを行うかを選択することができる。
【００２６】
なお、送風経路２１に空気流を送風した場合には、隣り合った吸引経路２２と送風経路２１とによって、吸引と送風という逆方向の空気流が近接して発生することになる。しかし、送風経路２１の方が吸引経路２２よりも狭幅形状となっているので、送風経路２１を通過する空気流の方が吸引経路２２を通過する空気流よりも流速が早くなる。したがって、本実施形態に係る送風・吸引装置は、ブロアを行うことが可能となっている。
【００２７】
ちなみに、図１Ａ、図１Ｂ及び図２を用いて本実施形態に係る送風・吸引装置の動作を説明すると、空気流発生手段１０が有するモータ１２を駆動することによってファン１３が回転すると、このファン１３は吸引方向に空気流を発生させることになる。ファン１３によって発生した吸引方向の空気流は、ファン１３の入側（正面）に接続することによってバキュームノズルを形成する吸引経路２２を通過する。そして、ファン１３の出側（下面）に送られた空気流は、ファン１３の出側（下面）に接続することによってブロワノズルを形成する送風経路２１に誘導されることになる。
【００２８】
このとき、操作者が送風経路２１出側に空気流を送るように切換手段２７を操作すると、符号（β）で示される方向に空気が流れ、空気流は吸引時よりも速い速度で送風経路２１を通過するので、送風・吸引装置はブロワとして機能することになる。
【００２９】
逆に、操作者が回収経路２５方向に空気流を送るように切換手段２７を操作したときには、符号（α）で示される方向に空気が流れるので、空気流は塵芥等を含んだ状態で集塵袋２６に送られ、塵芥等の回収が行われることになる。したがって、この場合の送風・吸引装置は、バキュームとして機能することになる。
【００３０】
ここで、本実施形態に係るケーシング２０の特徴的な点として、ケーシング本体部２０ａと別体に構成されるハンドル部２０ｂの存在が挙げられる。このハンドル部２０ｂは、ケーシング本体部２０ａにおける空気流発生手段１０の設置箇所を覆うように取り付けられることを特徴とする部材である。このような構成を採用したのは、従来のケーシングが非常に大きな形状をした１つの部材から構成されており、振動が伝達しやすく、ケーシング自体が騒音のスピーカとしての作用を発揮していたことを考慮したものである。本実施形態に係るケーシング２０のように、振動発生源となる空気流発生手段１０の周辺をケーシング本体部２０ａとハンドル部２０ｂという別部材によって構成することによって、振動の伝達を抑制するとともに、騒音の抑制をも実現することが可能となるのである。
【００３１】
ケーシング本体部２０ａとハンドル部２０ｂの構造について、図面を用いて詳細に説明する。図３は、ケーシング本体部の外観を示す右側側面図である。また、図４Ａは、左右２つ割形状で構成されるハンドル部の右側部分の外観を示す右側側面図であり、図４Ｂは、図４Ａで示した片割れハンドル部の片割れ形状を説明するための左側側面図である。
【００３２】
まず、ケーシング本体部２０ａとハンドル部２０ｂの取り付けは、図３及び図４Ｂにおいて符号（Ｂ）で示される５つの箇所で互いにボルト締めされることによって行われる。また、ハンドル部２０ｂの形状は、ユーザの把持を受けるアーム形状の部分を確実に支えるとともに、ケーシング本体部２０ａに対して確実に接触固定できるような強固なものとなっている。これは、振動発生源であるモータ１２やファン１３などから伝達される振動を増幅させないために採られた形状である。さらに、ハンドル部２０ｂが、ケーシング本体部２０ａにおける空気流発生手段１０の設置箇所を覆うように取り付けられることについても同様の理由から採用されたものであり、振動発生源である空気流発生手段１０周辺を抱持するようにハンドル部２０ｂを設置することにより、振動と騒音の抑制を図ることが可能となる。
【００３３】
なお、ケーシング本体部２０ａには、モータ１２などの冷却用に開口部３０が形成されているが、ハンドル部２０ｂには、この開口部３０に対応する位置に風窓３１が設置されており、適切なモータ冷却の実施による送風・吸引装置の好適な作業環境が確保されている。
【００３４】
ちなみに、本実施形態に係るケーシング２０の構造は、図４Ａ及び図４Ｂに示されるハンドル部２０ｂのみではなく、ケーシング本体部２０ａとノズル部２０ｃについても左右２つ割形状によって構成されているので、送風・吸引装置の組み立ての際には、まず、一方の片割れケーシング２０（それぞれ片割れのケーシング本体部２０ａ、ハンドル部２０ｂ、ノズル部２０ｃを組み立てたもの）に空気流発生手段１０を嵌め込んだ後、もう一方の片割れケーシング２０（もう一方の片割れケーシング本体部２０ａ、ハンドル部２０ｂ、ノズル部２０ｃを組み立てたもの）を組み合わせることになる。
【００３５】
以上、本発明の好適な実施形態について説明したが、本発明の技術的範囲は上記実施形態に記載の範囲には限定されない。上記実施形態には、多様な変更又は改良を加えることが可能である。
【００３６】
例えば、ハンドル部２０ｂの設置に当たっては、ケーシング本体部２０ａに対して吸振部材４０を介して設置することが好適である。図５に示すように、ケーシング本体部２０ａとハンドル部２０ｂを接続するための５つのボルト設置箇所に吸振部材４０を設置することにより、ケーシング本体部２０ａからハンドル部２０ｂへの振動が確実に防止され、より大きな振動と騒音の抑制効果を発揮させることが可能となる。なお、この吸振部材４０には、ゴムやエラストマー等の軟質樹脂などの弾性部材を採用することができる。
【００３７】
また、ケーシング本体部２０ａとハンドル部２０ｂとの間に吸音部材５０を設置することも、騒音を低減する上で好ましい。特に、図４，図５及び図６において例示するように、ケーシング本体部２０ａが備える開口部３０と、ハンドル部２０ｂが備える風窓３１の間の位置に吸音部材５０を設置することが好適である。これは、開口部３０及び風窓３１の位置がモータ１２や空気の流れによる騒音を最も発生させ易い場所だからである。なお、吸音部材５０には、吸音率が大きく、しかも冷却空気を通過させることができるスポンジなどの表面が多孔性で通気性のある材料を用いることが好適である。さらに、吸音部材５０として用いることができるその他の部材としては、ガラス繊維、岩綿、木質繊維のようなものも可能であろう。
【００３８】
さらに、ケーシング本体部２０ａとハンドル部２０ｂとは、異なる固有振動数を有するように構成することが好適である。これは、それぞれの部材の固有振動数が重なってしまうと共振や共鳴といった現象によって振動と騒音が拡大してしまうからである。ケーシング本体部２０ａとハンドル部２０ｂとの固有振動数を異ならせるには、それぞれの形状を考慮したり、それぞれを異なる材料、例えば、ポリカーボネイト樹脂、ナイロン樹脂、ＡＢＳ樹脂を適切に組み合わせることによって構成したりする手段を用いることで実現できる。
【００３９】
またさらに、上述した実施形態では、ケーシング２０を構成する部材にケーシング本体部２０ａ、ハンドル部２０ｂ及びノズル部２０ｃという３つの部材を採用した場合を例示して説明したが、本発明の構成は、少なくとも空気流発生手段１０を収納するケーシング本体部２０ａとその近傍に位置するハンドル部２０ｂとを別体で構成すれば良く、ケーシング本体部２０ａとノズル部２０ｃとを一体に構成したり、さらに複数の部材でケーシング２０を構成したりすることも可能である。
【００４０】
さらにまた、上述した実施形態は、ノズル部２０ｃが、吸引経路２２を形成するバキュームノズルと、送風経路２１を形成するブロワノズルの２本のノズルから構成された場合を例示して説明したものであるが、本発明は、上記特許文献２に記載のような１本のノズルでバキュームノズルとブロワノズルを兼用し、かかる兼用ノズルによって吸引経路と送風経路とを形成した送風・吸引装置であっても、もちろん適用可能である。その様な変更又は改良を加えた形態も本発明の技術的範囲に含まれ得ることが、特許請求の範囲の記載から明らかである。
【００４１】
［別の改良について］
以上説明した発明は、切換機構を有することによって選択的に送風と吸引の切換を行うことが可能な送風・吸引装置の改良に関するものであり、振動と騒音の抑制を実現するものであった。この種の集塵機能を備える装置にあっては、例えば電動工具などの発塵源と連動して動作を行うことが可能な集塵機が知られている。このような電動工具連動式集塵機には、操作部としてのスイッチ装置が設置されているが、本改良は、かかるスイッチ装置の改良を図ることによって操作性を向上させ、さらには、誤操作の防止をも図ることができる新たな電動工具連動式集塵機の提供を目的とするものである。
【００４２】
ところで、従来から市販されている電動工具連動式集塵機（例えば、上記非特許文献１参照）においては、集塵機の電源スイッチの他に、連動・非連動の可否を選択する手段としてオルタネート式のスイッチを設け、連動・非連動の切り換えが行われていた。
【００４３】
しかしながら、オルタネート式のスイッチは、スイッチを押すと閉成（ＯＮ）もしくは開成（ＯＦＦ）のいずれかの状態に保持されるので、電動工具連動式集塵機が連動の状態（以下、「連動モード」と記す）にあるのか、非連動の状態（以下、「非連動モード」と記す）にあるのかが非常に分かり難く、スイッチを操作するユーザに対して負荷を与えるものであった。すなわち、集塵機の電源スイッチが開成（ＯＦＦ）されている非連動モードの場合であってもオルタネート式のスイッチは閉成（ＯＮ）状態となる場合が生じるので、ユーザが連動モードにあると思い込んで電源スイッチを閉成（ＯＮ）すると、いきなり集塵機が起動してユーザを驚かせる事態が生じることになる。
【００４４】
また、上記非特許文献１が記載する電動工具連動式集塵機は、集塵機のモータ消費電力を「通常（Ｈｉ）」あるいは「低（Ｌｏ）」に切り換えて駆動させる手段としても、オルタネート式のスイッチを使用している。この場合にも、オルタネート式のスイッチでは、スイッチの開閉（ＯＮ−ＯＦＦ）状態が通常消費電力モードなのか、あるいは低消費電力モードなのかが判別し難い。このような状況において、低消費電力モードでない場合にユーザが低消費電力モードであると思い込んで集塵機の電源スイッチを閉成（ＯＮ）したり、連動モードで集塵機を起動させたりすると、いきなり高速回転（通常消費電力モード）で集塵機が起動してしまうので、この場合にもユーザを驚かせる結果となる。
【００４５】
さらに、上記非特許文献１が記載する電動工具連動式集塵機は、電源表示ランプがないので電源スイッチが投入されているか否かがすぐに判別できない。連動・非連動、及び消費電力の「通常（Ｈｉ）」，「低（Ｌｏ）」についても容易に目視確認できないので、従来の電動工具連動式集塵機は、使い難いという問題を有していた。
【００４６】
そこで、本改良に係る電動工具連動式集塵機は、モーメンタリースイッチとＬＥＤ（Light Emitting Diode）とを組み合わせたスイッチ装置を採用することにより、操作性の向上と誤操作の防止を実現した。
【００４７】
本改良に係る電動工具連動式集塵機の具体的な構成について、図面を用いて説明する。ここで、図７は、本改良に係る電動工具連動式集塵機の正面図であり、図８は、本改良に係る電動工具連動式集塵機の側面図である。また、図９は、本改良に係る電動工具連動式集塵機が備えるスイッチ装置の構成例を示す図である。
【００４８】
本改良に係る電動工具連動式集塵機は、駆動電力を受け入れる電力コード１０１と、連動する電動工具に対して電力を供給するためのコンセント１０２と、集塵機の動作を指示するためのスイッチ装置１１０と、を備えている。
【００４９】
スイッチ装置１１０は、シート基盤１１１に取り付けられたモーメンタリースイッチから成る連動・非連動選択スイッチ１１２と消費電力選択スイッチ１１４、及び連動・非連動選択スイッチ１１２の状態を認識するための連動・非連動認識用ＬＥＤ１１３と消費電力選択スイッチ１１４の状態を認識するための消費電力認識用ＬＥＤ１１５と、を備えている。また、スイッチ装置１１０には、本改良に係る電動工具連動式集塵機のメインの電源を入り切りする電源スイッチ１１６と、この電源スイッチ１１６の状態を認識するための電源認識用ＬＥＤ１１７と、が設置されている。
【００５０】
本改良に係る電動工具連動式集塵機は、上述したような構成を有しているので、従来の集塵機では困難であった連動・非連動モードの判別や、消費電力の「通常（Ｈｉ）」，「低（Ｌｏ）」の判別が容易となり、ユーザの操作性が格段に向上するとともに、誤操作の発生をも防止することができる。すなわち、ユーザは、各ＬＥＤ１１３，１１５，１１７を確認することによって集塵機の状態を容易、且つ、間違いなく把握することができるので、集塵機のスムーズな操作を行うことが可能となる。例えば、ユーザは、消費電力認識用ＬＥＤ１１５の表示によって低消費電力モードか通常消費電力モードかを認識することができるので、通常消費電力モードの場合にいきなり高回転で集塵機が動作しても驚くことが無くなるのである。
【００５１】
次に、回路図を用いて本改良に係る電動工具連動式集塵機の具体的な動作内容を説明する。なお、図１０は、本改良に係る電動工具連動式集塵機の回路図である。
【００５２】
電源スイッチ１１６を閉成（ＯＮ）するとトランス１２０、ＢＤ１２１及びＲＥＧ１２２によってマイコン回路１２３に給電が行われる。マイコン回路１２３に対して給電が行われると、電源認識用ＬＥＤ１１７が点灯する。
【００５３】
モーメンタリースイッチから成る連動・非連動選択スイッチ１１２と消費電力選択スイッチ１１４は、マイコン回路１２３の入力ポートに接続されており、これらスイッチ１１２，１１４の開閉（ＯＮ−ＯＦＦ）信号は、マイコン回路１２３に入力されるようになっている。一方、連動・非連動認識用ＬＥＤ１１３と消費電力認識用ＬＥＤ１１５は、マイコン回路１２３の出力ポートに接続されており、マイコン回路１２３の発信するＨ／Ｌ（High／Low）信号によって、消灯・点灯が行われることになる。
【００５４】
コンセント１０２に電動工具が接続され、電流が流れると、ＣＴ（カレントトランス）１２４に電圧が発生し、マイコン回路１２３のＡＤ変換ポート（ＡＮ１）に対して電動工具の起動信号が入力される。また、フォトカプラ（ＰＴ１）の一次側１２５は、マイコン回路１２３の出力ポート（ＲＣ３）に接続されており、フォトカプラ（ＰＴ１）の二次側１２６は、トライアック（ＴＲＩＡＣ）のゲート間へ抵抗（Ｒ３）を介して接続されている。そして、マイコン回路１２３の出力ポート（ＲＣ３）がＬレベルになると、トライアック（ＴＲＩＡＣ）が導通する。また、マイコン回路１２３のＩＮＴ端子には、０（ゼロ）クロス信号が入力されるので、低消費電力モードのときには０（ゼロ）クロスを基準に位相制御が行われ、モータ１２７への電力が制限されることになる。
【００５５】
ユーザが連動・非連動選択スイッチ１１２を閉成（ＯＮ）操作すべく押下動作をすると、マイコン回路１２３の入力ポート（ＲＣ５）がＬレベルからＨレベルに切り換わる。その後、ユーザが連動・非連動選択スイッチ１１２から指を放して押下動作を止めると、連動・非連動選択スイッチ１１２は開成（ＯＦＦ）となり、Ｈレベルであったマイコン回路１２３の入力ポート（ＲＣ５）がＬレベルに切り換わる。このような動作を行うことによって、マイコン回路１２３は連動・非連動選択スイッチ１１２が操作されたことを認識することができるので、連動モードの場合は非連動モードに切り換わり、連動・非連動認識用ＬＥＤ１１３を消灯（もしくは点灯）させる。逆に、非連動モードの場合は連動モードに切り換わり、連動・非連動認識用ＬＥＤ１１３を点灯（もしくは消灯）させることになる。
【００５６】
したがって、連動モードの場合、電動工具をコンセント１０２に接続して電動工具の電源を投入すると、電流が流れることによってＣＴ１２４に電圧が発生し、マイコン回路１２３のＡＤ変換ポート（ＡＮ１）に対して電動工具の起動信号が入力される。そして、マイコン回路１２３の出力ポート（ＲＣ３）がＬレベルとなって、集塵機のモータ１２７が起動するのである。
【００５７】
また、非連動モードにした場合には、コンセント１０２に電流が流れなくても、無条件にマイコン回路１２３の出力ポート（ＲＣ３）がＬレベルとなるので、集塵機の電源スイッチ１１６を閉成（ＯＮ）すると集塵機のモータ１２７は起動することになる。
【００５８】
次に、ユーザが消費電力選択スイッチ１１４を閉成（ＯＮ）操作すべく押下動作をすると、マイコン回路１２３の入力ポート（ＲＣ４）はＬレベルからＨレベルに切り換わる。その後、ユーザが消費電力選択スイッチ１１４から指を放して押下動作を止めると、消費電力選択スイッチ１１４は開成（ＯＦＦ）状態となり、Ｈレベルであったマイコン回路１２３の入力ポート（ＲＣ４）がＬレベルに切り換わる。このような動作を行うことによって、マイコン回路１２３は消費電力選択スイッチ１１４が操作されたことを認識することができるので、低消費電力モードの場合には通常消費電力モードに切り換わり、消費電力認識用ＬＥＤ１１５を点灯（もしくは消灯）させることになる。逆に、通常消費電力モードの場合には低消費電力モードに切り換わり、消費電力認識用ＬＥＤ１１５を消灯（もしくは点灯）させる。なお、低消費電力モードの場合、マイコン回路１２３におけるＩＮＴ端子の０（ゼロ）クロス信号を基準としてトライアック（ＴＲＩＡＣ）の位相制御が行われるので、集塵機のモータ１２７に給電される電力は、制限されることになる。
【００５９】
最後に、電源スイッチ１１６について説明する。電源スイッチ１１６を閉成（ＯＮ）すると電源認識用ＬＥＤ１１７は点灯するが、連動・非連動選択スイッチ１１２を閉成（ＯＮ）操作した後に電源スイッチ１１６を開成（ＯＦＦ）すると、連動モードが非連動モードに、あるいは、非連動モードが連動モードに切り換わるので、連動モードのときには連動・非連動認識用ＬＥＤ１１３が点灯（もしくは消灯）し、非連動モードのときには連動・非連動認識用ＬＥＤ１１３が消灯（もしくは点灯）する。
【００６０】
また、消費電力選択スイッチ１１４を閉成（ＯＮ）操作した後に電源スイッチ１１６を開成（ＯＦＦ）すると、低消費電力モードが通常消費電力モードに、あるいは、通常消費電力モードが低消費電力モードに切り換わることになる。このとき、低消費電力モードであれば消費電力認識用ＬＥＤ１１５は消灯（もしくは点灯）し、通常消費電力モードであれば消費電力認識用ＬＥＤ１１５は点灯（もしくは消灯）する。
【図面の簡単な説明】
【００６１】
【図１Ａ】本実施形態に係る送風・吸引装置の全体構成を示す右側側面図である。
【図１Ｂ】本実施形態に係る送風・吸引装置の全体構成を示す左側側面図である。
【図２】本実施形態に係る送風・吸引装置の要部構造を示す要部縦断面側面図である。
【図３】ケーシング本体部の外観を示す右側側面図である。
【図４Ａ】左右２つ割形状で構成されるハンドル部の右側部分の外観を示す右側側面図である。
【図４Ｂ】図４Ａで示した片割れハンドル部の片割れ形状を説明するための左側側面図である。
【図５】本実施形態に係るケーシング本体部に対して吸振部材を設置した場合を例示する図である。
【図６】本実施形態に係るケーシングに対して吸音部材を設置した場合を例示する図である。
【図７】本改良に係る電動工具連動式集塵機の正面図である。
【図８】本改良に係る電動工具連動式集塵機の側面図である。
【図９】本改良に係る電動工具連動式集塵機が備えるスイッチ装置の構成例を示す図である。
【図１０】本改良に係る電動工具連動式集塵機の回路図である。
【符号の説明】
【００６２】
１０  空気流発生手段、１１  回転軸、１２  モータ、１３  ファン、２０  ケーシング、２０ａ  ケーシング本体部、２０ｂ  ハンドル部、２０ｃ  ノズル部、２１  送風経路、２２  吸引経路、２４  ファンケース、２５  回収経路、２６  集塵袋、２７  切換手段、３０  開口部、３１  風窓、４０  吸振部材、５０  吸音部材、１０１  電力コード、１０２  コンセント、１１０  スイッチ装置、１１１  シート基盤、１１２  連動・非連動選択スイッチ、１１３  連動・非連動認識用ＬＥＤ、１１４  消費電力選択スイッチ、１１５  消費電力認識用ＬＥＤ、１１６  電源スイッチ、１１７  電源認識用ＬＥＤ、１２０  トランス、１２１  ＢＤ、１２２  ＲＥＧ、１２３  マイコン回路、１２４  ＣＴ（カレントトランス）、１２５  フォトカプラ（ＰＴ１）の一次側、１２６  フォトカプラ（ＰＴ１）の二次側、１２７  モータ。
【図１Ａ】
2006346199.tif 000003
【図１Ｂ】
2006346199.tif 000004
【図２】
2006346199.tif 000005
【図３】
2006346199.tif 000006
【図４Ａ】
2006346199.tif 000007
【図４Ｂ】
2006346199.tif 000008
【図５】
2006346199.tif 000009
【図６】
2006346199.tif 000010
【図７】
2006346199.tif 000011
【図８】
2006346199.tif 000012
【図９】
2006346199.tif 000013
【図１０】
2006346199.tif 000014